(57)【要約】本発明は、まず、送信されるべきパケットを記憶する送信バッファと受信されるべきパケットを記憶する受信バッファとを設定することと、ＡＡＬ２レイヤ上のデータ交換が、接続されたスイッチングノードにおける前記バッファへのポインタを交換することによって遂行され、アダプテーションレイヤ上のプロトコル処理、及びアダプテーションレイヤとアプリケーションレイヤとの間のデータ伝送が、接続された終端ノードにおける前記バッファへのポインタを交換することによって遂行されることと、音声パケットとデータパケットとが、ＡＡＬ２サブレイヤ間のデータ交換を遂行し、ＡＡＬ２の実装のための解決策を改善するＳＳＳＡＲレイヤ上で異なって処理されることとを含む、ＡＡＬ２の実装方法を開示する。
2005516476.tif 000002
【特許請求の範囲】
【請求項１】
まず、送信されるべきパケットを記憶する送信バッファと受信されるべきパケットを記憶する受信バッファとを設定することと、
接続されたスイッチングノードにおいて、ＣＰＳレイヤ上で処理されたＣＰＳパケットをＶＣ（Virtual Connection：バーチャルコネクション）の受信バッファに記憶することと、
次に、前記ＶＣのＶＰＩ（Virtual Path Identifier：バーチャルパス識別子）と、バーチャルパスのＶＣＩ（Virtual Channel Identifier：バーチャルチャネル識別子）と、パケットのＣＩＤとに従って送信ＶＣに対応するＶＰＩと、ＶＣＩと、ＣＩＤとを探索することと、
その後、前記ＣＰＳパケットが送信されるＶＣの送信バッファにＣＰＳパケットを移すことと
を含み、
接続された終端ノードにおいて、
音声パケットに関して、
受信方向では、ＣＰＳレイヤ上で処理されたＣＰＳパケットのヘッドを除去すると共に、ＶＣの受信バッファに結果のペイロードを記憶し、次に、アプリケーションレイヤに前記バッファの中のデータを出力することと、
送信方向では、アプリケーションレイヤが、送信されるべきデータを、送信バッファにデータを記憶するアダプテーションレイヤに転送することとを含み、
データパケットに関して、
受信方向では、各ＣＩＤ値に対応する、接続のためのＳＳＳＡＲ処理に対してバッファを分配すること、
ＣＰＳレイヤ上で処理されたＣＰＳパケットをＶＣの受信バッファに記憶すること、
次に、ＳＳＳＡＲレイヤ上で再組立を実行すること、
及びＳＳＳＡＲ処理に対する各ＣＩＤ値に対応する再度組み立てられたデータパケットを前記バッファに記憶すること、
その後、ＶＣに関するデータをアプリケーションレイヤに出力することと、
送信方向では、アプリケーションレイヤが、送信されるべきデータを、ＳＳＳＡＲプロトコルに従って前記データをＣＰＳパケットに分割し、かつそれらをＶＣに対応する送信バッファに記憶するアダプテーションレイヤに転送することとを含む
ことを特徴とする可変ビットレートリアルタイムサービスのためのＡＡＬ２の実装方法。
【請求項２】
バッファを指すポインタをセットし、かつそれらをバッファキューに記憶すると共に、各ＶＣが、それ自身の送信バッファキュー及び受信バッファキューを備えている
ことを特徴とする請求項１に記載の可変ビットレートリアルタイムサービスのためのＡＡＬ２の実装方法。
【請求項３】
可変ビットレートリアルタイムサービスのためのＡＡＬ２のデータ交換中、受信バッファから送信バッファへＣＰＳパケットを移す動作が、ＣＰＳパケットのＣＩＤを探索された送信ＣＩＤへ修正し、その後、受信されたＣＰＳパケットを記憶するバッファへのポインタと送信ＶＣの空のバッファの対応するものとを交換することを含んでいる
ことを特徴とする請求項２に記載の可変ビットレートリアルタイムサービスのためのＡＡＬ２の実装方法。
【請求項４】
終端ノードにおける音声パケットに関して、
受信方向では、バッファの中のデータのアプリケーションレイヤへの出力が、
ＶＣのＶＰＩとＶＣＩというポインタを受信バッファに出力し、ＣＰＳパケットのＣＩＤをアプリケーションレイヤに出力すること、
及びアプリケーションレイヤからアダプテーションレイヤへの空のバッファにポインタを戻すと共に、受信バッファキューに記憶することによって実行され、
送信方向では、アプリケーションレイヤからアダプテーションレイヤにデータが転送され、その後、送信バッファに記憶される動作が、
アダプテーションレイヤに、送信されるべきデータと、対応するＶＰＩ、ＶＣＩ、及びそれのＣＩＤとを記憶する送信バッファにポインタを転送すること、
及びアダプテーションレイヤが、受信バッファキューの空のバッファを交換するために、バッファキューに前記ポインタを記憶すること、
及びアプリケーションレイヤへの空のバッファにポインタを戻すことによって実行される
ことを特徴とする請求項２に記載の可変ビットレートリアルタイムサービスのためのＡＡＬ２の実装方法。
【請求項５】
終端ノードにおけるデータパケットに関して、
受信方向では、ＳＳＳＡＲバッファからアプリケーションレイヤにデータを出力する動作が、
ＶＣのＶＰＩとＶＣＩというポインタをＳＳＳＡＲバッファに出力し、ＣＰＳパケットのＣＩＤをアプリケーションレイヤに出力すること、
及びアプリケーションレイヤからアダプテーションレイヤへの空のバッファにポインタを戻すこと、
及びＳＳＳＡＲバッファキューにポインタを記憶することによって実行され、
送信方向では、アプリケーションレイヤからアダプテーションレイヤへデータを出力し、かつ送信バッファにデータを記憶する動作が、
ＳＳＳＡＲプロトコルに従ってバッファの中のデータをＣＰＳパケットに分割すると共にそれらをＶＣの送信バッファに記憶するアダプテーションレイヤに、送信されるべきデータと、対応するＶＰＩ、ＶＣＩと、ＣＩＤとを記憶するバッファにポインタを転送すること、
その後、アプリケーションレイヤへの送信バッファにポインタを戻すことによって実行されることを特徴とする請求項２に記載の可変ビットレートリアルタイムサービスのためのＡＡＬ２の実装方法。
【請求項６】
前記バッファが同じサイズである
ことを特徴とする請求項１、または請求項２に記載の可変ビットレートリアルタイムサービスのためのＡＡＬ２の実装方法。
【発明の詳細な説明】
【技術分野】
【０００１】
本発明は、移動通信分野、特に第３世代（３Ｇ）移動通信分野での可変ビットレートリアルタイムサービスのためのＡＴＭ(非同期転送モード)アダプテーションレイヤ（Adaptation Layer）２の実装方法に関するものである。
【背景技術】
【０００２】
第３世代（３Ｇ）移動通信製品では、ＡＴＭが全ての基本サービスを伝送すると共に、ＡＡＬ２が、図１において示されるプロトコル及び階層的構造によって、音声とデータのサービスを伝送する。ＡＡＬ２プロトコルは、ＣＳ（Convergence Sublayer：コンバージェンスサブレイヤ）、及びＳＡＲ（Segmentation and Reassembly Sublayer：セル分割組立サブレイヤ）を含み、かつサービスとの関係によってＳＳＣＳ（Service Specific Convergence Sublayer：サービス依存コンバージェンスサブレイヤ）及びＣＰＳ（Common Part Sublayer：共通部サブレイヤ）を含む。ＣＰＳは、ＣＰＣＳ(Common Part Convergence Sublayer：共通部コンバージェンスサブレイヤ）及びＳＡＲを含む。ＳＳＣＳは特別なサービスのために設計されているが、しかしＣＰＣＳとＳＡＲは必須である。現在、ＡＡＬ２のＣＰＳにおけるＳＡＲ処理は、先行技術における専用チップにより実装され、前記チップは、ＳＡＲ処理によるＡＴＭセルへの前記適応（adaptation）によって、ＡＡＬ２ミニチャンネル（mini-channel）の多重化及び逆多重化（分離）を遂行するために、ＣＰＳパケットからＡＴＭセルへのＳＡＲ処理を実現する。ＳＡＲ処理によって、同じＡＡＬ２ユーザまたは異なるＡＡＬ２ユーザから同じＰＶＣ（Permanent Virtual Channel：常設（相手固定）バーチャルチャネル）上で伝送されたＣＰＳパケットはＡＴＭセルへ多重化され、その逆の処理はレシーバで実行される。すなわち、ＡＴＭセルによって伝送されたＣＰＳパケットは、ＳＡＲ処理によってＡＡＬ２ユーザのための個々のＣＰＳパケットへ逆多重化される。
【０００３】
ＡＡＬ２プロトコルにおけるＣＰＳパケットのデータフォーマットは図２に示される。ＣＰＳパケットは、ＣＰＳ−ＰＨ(CPS Packer Head：ＣＰＳパッカーヘッド）と、ＣＰＳ−ＰＰ(CPS Packet Payload：ＣＰＳパケットペイロード)とを含み、ＣＰＳ−ＰＨは、８ビットのＣＩＤ（Channel Identifier：チャネル識別子）と、６ビットのＬＩ（Length Indication：長さ表示）と、５ビットのＣＰＳ  ＵＵＩ（User-to-User Indication：ユーザ間表示）と、ＣＰＳ  ＨＥＣ（Head Error Control：ヘッダ誤り制御）とを含み、ＣＰＳ−ＰＰは、１〜４５バイトまたは１〜６４バイトを備える。
【０００４】
ここで、
（１）ＣＩＤ：ＣＩＤは８ビットで、ＡＡＬ２の双方向チャンネルを識別するように作られていると共に、“０”は無効を表し、“１”はレイヤ管理者間の通信に利用され、“２〜７”は予約されており、“８〜２５５”はＳＳＣＳで利用される。
（２）ＬＩ：ＬＩは６ビットで、ＣＰＳ−ＩＮＦＯフィールドの長さを示し、“０〜６３”はＣＰＳ−ＩＮＦＯの長さが１〜６４バイトであることを示す。
（ＣＰＳ−ＩＮＦＯのデフォルトの最大長は４５バイトで、ＣＰＳ−ＩＮＦＯの実際の最大長は信号経路または管理プロセスによって決定される。）
（３）ＵＵＩ：ＵＵＩは５ビットで、異なるタイプのＣＰＳユーザを識別するために、ＣＰＳレイヤ上において、ユーザ制御情報をユーザに意識させないで転送するように作られている。
（４）ＣＰＳ  ＨＥＣ：ＣＰＳ  ＨＥＣは５ビットで、ＣＰＳ−ＰＨにおけるＣＩＤ、ＬＩ、及びＵＵＩによるグループの１９ビットを保護することを検証するために使用される。
【０００５】
ＣＰＳレイヤ上のＳＡＲ処理の後に、ＣＰＳパケットはＣＰＳ−ＰＤＵ（CPS Protocol Data Unit：ＣＰＳプロトコルデータユニット）を形成し、そのデータフォーマットは図３に示される。ＣＰＳ−ＰＤＵは、８ビットのＳＴＦ（Start Field：スタートフィールド）及びＣＰＳ−ＰＤＵペイロードフィールドを含む４８バイトを具備している。
【０００６】
ここで、
（１）ＯＳＦ（Offset Field：オフセットフィールド）：ＯＳＦは、ＳＴＦの最後からＣＰＳ−ＰＨまたはＰＡＤの頭までのオフセットを記憶しており、“ＯＳＦ＝４７”はデータがＣＰＳ−ＰＤＵペイロードフィールドにないことを示し、ＯＳＦは４７を超過することができない。
（２）ＳＮ（Sequence Number：シーケンス番号）：ＳＮは１ビットで、ＣＰＳ−ＰＤＵのシーケンス番号である。
（３）Ｐ（Parity：パリティ）：ＳＴＦのための奇数パリティ、１ビット。
（４）ＣＰＳ−ＰＤＵペイロードフィールド：ＣＰＳ−ＰＤＵペイロードフィールドは０、１または２以上のＣＰＳパケットに適応することができ、ＰＡＤフィールドは残りの長さを構築する未使用の部分を満たすために使用され、ＣＰＳパケットは２つのＣＰＳ−ＰＤＵペイロードフィールドに読み込まれても良い。
【０００７】
ＣＰＳ−ＰＤＵは、ＡＴＭ−ＳＡＰ（ATM Service Access Point：ＡＴＭサービスアクセスポイント）によって、ＡＴＭ−ＳＤＵ（ATM Service Data Unit：ＡＴＭサービスデータユニット）になり、ＡＴＭレイヤ上でヘッドを加えられた時、ＡＴＭ−ＳＤＵはＡＴＭセルになる。
【発明の開示】
【発明が解決しようとする課題】
【０００８】
しかしながら、専用チップによって達成された、ＣＰＳレイヤからＡＴＭレイヤまでのＡＡＬ２の多重化/逆多重化処理及びＳＡＲ処理は、ＳＳＳＡＲ（Service Specific SAR：サービス特定ＳＡＲ）及びＣＰＣＳを含む他のレイヤ上の処理の代わりに、現在のレイヤ上の処理の一部を単に遂行するだけか、または、それらはＣＰＳレイヤ上のＡＡＬ２データの交換（switching）を達成しない。従って、チップは、ＡＡＬ２リンクの中間ノードにおいてＡＡＬ２レイヤ上のＡＡＬ２のＣＰＳパケットの交換（switching）を達成することができず、それ故に、それは実際的なアプリケーションの実際の要求を満たすことができない。
【０００９】
本発明の目的は、ＡＡＬ２を改善するために先行技術において実装されたＣＰＳパケットのための、ＡＡＬ２レイヤ上のパケット交換及びＳＳＳＡＲプロトコル処理の方法を提供することである。
【課題を解決するための手段】
【００１０】
前記目的に到達するために、本発明による技術的な解決策は、可変ビットレートリアルタイムサービスのためのＡＡＬ２の実装方法であって、まず、送信されるべきパケットを記憶する送信バッファと受信されるべきパケットを記憶する受信バッファとを設定することと、接続されたスイッチングノードにおいて、ＣＰＳレイヤ上で処理されたＣＰＳパケットをＶＣ（Virtual Connection：バーチャルコネクション）の受信バッファに記憶することと、次に、前記ＶＣのＶＰＩ（Virtual Path Identifier：バーチャルパス識別子）と、バーチャルパスのＶＣＩ（Virtual Channel Identifier：バーチャルチャネル識別子）と、パケットのＣＩＤとに従って送信ＶＣに対応するＶＰＩと、ＶＣＩと、ＣＩＤとを探索することと、その後、ＣＰＳパケットが送信されるＶＣの送信バッファに、ＣＰＳパケットを移すこと（switching）とを含んでいる。
【００１１】
接続された終端ノードにおいて、音声パケットに関して、受信方向では、ＣＰＳレイヤ上で処理されたＣＰＳパケットのヘッドを除去すると共に、ＶＣの受信バッファに結果のペイロードを記憶し、次に、アプリケーションレイヤ（application layer）に前記バッファのデータを出力することと、送信方向では、アプリケーションレイヤが、送信されるべきデータを、送信バッファにデータを記憶するアダプテーションレイヤに転送することとを含んでいる。
【００１２】
データパケットに関して、受信方向では、各ＣＩＤ値に対応する、接続のためのＳＳＳＡＲ処理に対してバッファを分配すること、ＣＰＳレイヤ上で処理されたＣＰＳパケットをＶＣの受信バッファに記憶すること、次に、ＳＳＳＡＲレイヤ上で再組立を実行すること、及びＳＳＳＡＲ処理に対する各ＣＩＤ値に対応する再度組み立てられたデータパケットを前記バッファに記憶すること、その後、ＶＣに関するデータをアプリケーションレイヤに出力することと、送信方向では、アプリケーションレイヤが、送信されるべきデータを、ＳＳＳＡＲプロトコルに従って前記データをＣＰＳパケットに分割し、かつそれらをＶＣに対応する送信バッファに記憶するアダプテーションレイヤに転送することとを含んでいる。
【００１３】
上記の方法で、バッファをセットし、データを交換するためにバッファを利用することによって、ＡＡＬ２サブレイヤ間のデータ交換が実現され、かつＡＡＬ２の解決策を改善する、音声パケットのトランスペアレント（transparent）伝送、及びＳＳＳＡＲサブレイヤ上のデータパケットのセグメンテーション（分割）／リアセンブリ（再組立）の方法が提供される。
【発明を実施するための最良の形態】
【００１４】
本発明によるＡＡＬ２の実装方法では、まず、送信されるべきパケットを記憶する送信バッファと受信されるべきパケットを記憶する受信バッファとを設定すると共に、前記バッファを設定することは、本発明の方法と関連する先行技術による、ＣＰＳレイヤからＡＴＭレイヤまでのＳＡＲ処理結果のデータ交換を実装することであり、前記バッファは、接続されたスイッチングノードにおいて可変ビットレートリアルタイムサービスのためのＡＡＬ２レイヤ上のデータ交換を遂行するために使用される。かつ、接続された終端ノードにおいてアダプテーションレイヤ上のプロトコル処理、及びアダプテーションレイヤとアプリケーションレイヤとの間のデータ伝送を遂行するために使用される。前記接続されたスイッチングノードはＡＡＬ２サブレイヤ間のノードを指し、前記接続された終端ノードはＡＡＬ２とアプリケーションレイヤまたはＡＴＭレイヤとの間のノードを指す。
【００１５】
可変ビットレートリアルタイムサービスのためのＡＡＬ２データ交換は、ＣＰＳレイヤ上で処理されたＣＰＳパケットをＶＣ（Virtual Connection：バーチャルコネクション）の受信バッファに記憶すること、そして、前記ＶＣのＶＰＩ（Virtual Path Identifier：バーチャルパス識別子）と、バーチャルパスのＶＣＩ（Virtual Channel Identifier：バーチャルチャネル識別子）と、パケットのＣＩＤとに従って送信ＶＣに対応するＶＰＩと、ＶＣＩと、ＣＩＤとを探索すること、その後、ＣＰＳパケットが送信されるＶＣの送信バッファに、ＣＰＳパケットを移すこと（switching）を含んでいる。
【００１６】
接続された終端ノードにおけるアダプテーションレイヤ上のプロトコル処理及び前記バッファを備えたアダプテーションレイヤとアプリケーションレイヤとの間のデータ伝送は、データパケットと音声パケットとで異なって実行される。
【００１７】
音声パケットに関して、受信方向では、ＣＰＳレイヤ上で処理されたＣＰＳパケットのヘッドを除去すると共に、ＶＣの受信バッファに結果のペイロードを記憶し、次に、アプリケーションレイヤに前記バッファのデータを出力することと、送信方向では、アプリケーションレイヤが、送信されるべきデータを、送信バッファにデータを記憶するアダプテーションレイヤに転送することとを含んでいる。
【００１８】
データパケットに関して、受信方向では、各ＣＩＤ値に対応する、接続のためのＳＳＳＡＲ処理に対してバッファを分配すること、ＣＰＳレイヤ上で処理されたＣＰＳパケットをＶＣの受信バッファに記憶すること、それから、ＳＳＳＡＲレイヤ上で再組立を実行すること、及びＳＳＳＡＲ処理に対する各ＣＩＤ値に対応する再度組み立てられたデータパケットを前記バッファに記憶すること、その後、ＶＣに関するデータをアプリケーションレイヤに出力することと、送信方向では、アプリケーションレイヤが、送信されるべきデータを、ＳＳＳＡＲプロトコルに従って前記データをＣＰＳパケットに分割し、かつそれらをＶＣに対応する送信バッファに記憶するアダプテーションレイヤに転送することとを含んでいる。
【００１９】
もともとは、データコピーはバッファの内容を別のものと交換（switch）するために要求される。本発明の実施例では、バッファを指すポインタがセットされ、かつバッファキューに記憶されると共に、各ＶＣは、それ自身の送信バッファキュー及び受信バッファキューを備えている。その上で、図４において示されるように、可変ビットレートリアルタイムサービスのためのＡＡＬ２のデータ交換中、受信バッファから送信バッファへＣＰＳパケットを移す（switching）動作は、ＣＰＳパケットのＣＩＤを探索された送信ＣＩＤへ修正し、その後、受信されたＣＰＳパケットを記憶するバッファへのポインタと、送信ＶＣの空のバッファの対応するものとを交換することを含んでいる。データ交換プロセス中に、ＣＩＤ値の修正は、ＶＣによって受信されたＣＰＳパケットのＣＩＤ値と、ＶＣのインデックスを備えたスイッチルーティングテーブル（switch routing table）中で探索された出力ＶＣに対応するＣＩＤ値及びインデックスとによって実行される。ＣＰＳパケットは、バッファポインタの交換によって受信バッファから受信バッファへ移され（switched）、それは処理プロセスを単純化し、ＣＰＵの占有を縮小すると共に、多量のデータの重複を回避する。各ＶＣについては、接続が終端処理され、アプリケーションが出力かつ公開される時、接続の柔軟な構成を保証して、全ての受信及び送信バッファはダイナミック（動的）に接続される。
【００２０】
従来の方法がバッファの頻繁な適用及び公開あるいはデータのコピーを要求している一方、例えばアダプテーションレイヤからアプリケーションレイヤ、またはアプリケーションレイヤからアダプテーションレイヤまでのような、終端ノードにおけるデータ交換もまた、バッファポインタの交換によって実装され得る。終端ノードにおけるプロトコル処理では、アダプテーションレイヤとアプリケーションレイヤとの間のデータ交換もまた、バッファポインタの交換によって実装され得る。必然的に、交換されたバッファは異なるバッファであるが、しかし、物理的に、それらは同じものでも良い。
【００２１】
本発明の実施例は以下のとおりである。
終端ノードにおける音声パケットに関して、受信方向では、バッファの中のデータのアプリケーションレイヤへの出力が、ＶＣのＶＰＩとＶＣＩというポインタを受信バッファに出力し、ＣＰＳパケットのＣＩＤをアプリケーションレイヤに出力すること、及びアプリケーションレイヤからアダプテーションレイヤへの空のバッファにポインタを戻すと共に、受信バッファキューに記憶することによって実行され、送信方向では、アプリケーションレイヤからアダプテーションレイヤにデータが転送される。その後、送信バッファに記憶される動作が、アダプテーションレイヤに、送信されるべきデータと、対応するＶＰＩ、ＶＣＩ、及びそれのＣＩＤとを記憶する送信バッファにポインタを転送すること、及びアダプテーションレイヤが、受信バッファキューの空のバッファを交換するために、バッファキューに前記ポインタを記憶すること、及びアプリケーションレイヤへの空のバッファにポインタを戻すことによって実行される。
音声パケットは、通常２０から３０バイトだけを占め、かつＡＡＬ２プロトコルにおけるサブレイヤＳＳＳＡＲ上においてユーザに意識させないで転送することができる。すなわち、送信バッファへのポインタは、アプリケーションレイヤから直接得られ、その後、送信バッファへのポインタと交換されると共に、パケットヘッドが加えられ、その後送信される。
【００２２】
終端ノードにおけるデータパケットに関して、受信方向では、ＳＳＳＡＲバッファからアプリケーションレイヤにデータを出力する動作は、ＶＣのＶＰＩとＶＣＩというポインタをＳＳＳＡＲバッファに出力し、ＣＰＳパケットのＣＩＤをアプリケーションレイヤに出力すること、及びアプリケーションレイヤからアダプテーションレイヤへの空のバッファにポインタを戻すこと、及びＳＳＳＡＲバッファキューにポインタを記憶することによって実行される。送信方向では、アプリケーションレイヤからアダプテーションレイヤへデータを出力し、かつ送信バッファにデータを記憶する動作が、ＳＳＳＡＲプロトコルに従ってバッファの中のデータをＣＰＳパケットに分割すると共にそれらをＶＣの送信バッファに記憶するアダプテーションレイヤに、送信されるべきデータと、対応するＶＰＩ、ＶＣＩと、ＣＩＤとを記憶するバッファにポインタを転送すること、その後、アプリケーションレイヤへの送信バッファにポインタを戻すことによって実行される。
【００２３】
図５で示されるように、ＡＡＬ２によって伝送されたデータパケットの長さは、通常数百バイトから数千のバイトの長さがあり、送信の間にＡＡＬ２のサブレイヤであるＳＳＳＡＲ上で分割及び再組立されるべきである。送信動作の間に、アプリケーションレイヤからのデータは、セグメント中の送信バッファにコピーされ、ヘッドが加えられ、その後送信される。受信されたパケットが長い場合、受信されたデータはいくつかの受信バッファに記憶され、その後、固定データバッファに順にコピーされる。同じＶＣ上で伝送されたＡＡＬ２ユーザのパケットのＣＩＤは異なるので、これらのパケットサービスデータは、送信の最後におけるＳＳＳＡＲの分割後に多くのＣＰＳパケットを形成することになる。異なるＣＩＤを備えたそのようなＣＰＳパケットは、受信の最後に二者択一的に到着する可能性がある。各ＣＰＳパケットが、異なるＣＩＤによって対応するバッファにコピーされる限り、ＳＳＳＡＲの再組立は正確さを保証することができる。
【００２４】
アプリケーションレイヤの実装を単純化するために、音声とデータのパケットのためのバッファと、アプリケーションレイヤからのデータの分割、再組立、及び記憶のためのバッファとは同じサイズである。
【図面の簡単な説明】
【００２５】
【図１】本発明に関するＡＡＬ２プロトコルの階層的構造を示す図である。
【図２】ＡＡＬ２プロトコルにおけるＣＰＳパケットのデータフォーマットを示す図である。
【図３】ＣＰＳ−ＰＤＵのデータフォーマットを示す図である。
【図４】本発明の一実施例におけるＡＡＬ２レイヤ上のスイッチングプロセスを示す図である。
【図５】本発明の一実施例におけるデータパケットの送受信プロセスを示す図である
【図１】
2005516476.tif 000003
【図２】
2005516476.tif 000004
【図３】
2005516476.tif 000005
【図４】
2005516476.tif 000006
【図５】
2005516476.tif 000007
【国際調査報告】
2005516476.tif 000008
2005516476.tif 000009
2005516476.tif 000010
2005516476.tif 000011